(57)【特許請求の範囲】
【請求項１】
複数のケースを一体にして形成されたハウジング内にスピーカとマイクロホンを組み込んで配置した送受話器であって、
前記ハウジング内のスピーカとマイクロホンとの間の空間に位置する一方のケース内面に該ケース内面と同一の部材である弾性リブを該ケース内面から傾斜させて一体に形成し、該弾性リブの先端を該一方のケース内面から突出させて配置し、該先端を他方のケースの内面に当接させて該弾性リブによって該ハウジング内におけるスピーカとマイクロホンとの間を遮断するように構成したことを特徴とする送受話器。
【請求項２】
複数のケースを一体にして形成されたハウジング内にスピーカとマイクロホンを組み込んで配置し、該スピーカとマイクロホンとの間の空間に重りを取り付けた送受話器であって、
前記ハウジング内の前記重りの側方に生じる空間に位置する一方のケース内面に該ケース内面と同一の部材である弾性リブを該ケース内面から傾斜させて一体に形成し、該弾性リブの先端を該一方のケース内面から突出させて配置し、該先端を他方のケースの内面に当接させて該弾性リブによって該ハウジング内におけるスピーカとマイクロホンとの間を遮断するように構成したことを特徴とする送受話器。
【請求項３】
前記ケースは、前記重りの面に全幅にわたって当接する凸部を有することを特徴とする請求項２に記載の送受話器。
【発明の詳細な説明】
【技術分野】
【０００１】
本発明は、複数のケースを組み合わせて一体にして構成されたハウジング内にスピーカとマイクロホンとを組み込んで配置した送受話器に関し、特に、ハウジング内においてスピーカとマイクロホンとの間に空間を有する送受話器において、スピーカとマイクロホンとの間の音響結合を防止するようにした送受話器に関するものである。
【背景技術】
【０００２】
従来、スピーカとマイクロホンとをハウジングに組み込んだ送受話器は、電話機に適用されているが、ハウジング内においてスピーカとマイクロホンとの間に空間を有するため、スピーカからの受話音が空間を通ってマイクロホンに入ってしまう。一方、デジタル伝送方式においては、送受話器のマイクロホンに入った音声は電話機からデータ信号として公衆回線を介しデジタル電話基地局に送られて処理され、再び公衆回線を介して相手側の電話機に送られスピーカから音声として送出される。このとき、マイクロホンに入った音声はデータ処理されるまでに若干の時間を要するようになっている。
【０００３】
そのため、送受話器におけるスピーカの後方からマイクロホンに直接に漏洩する音声は、公衆回線を通ってデジタル電話基地局で処理されて送話側の電話機に送信され、送話側の送受話器のスピーカから送出される。その結果、スピーカからは送話者の音声に加えて漏洩した音声が遅れて戻ってきて送出される。このスピーカから遅れて送出される音声は反響音即ち、エコー音として発生し、明瞭な通話を行うことができなくなってしまう。このため、スピーカとマイクロホンとの間の音響結合を防止できるように機器を構成することが望まれる。
【０００４】
例えば、この問題点を解決するために、下記の特許文献１（特開平７−２８３８６１号公報）で示す従来技術が提案されている。この従来技術の送受話器は、前ケースと後ケースを一体にして構成されたハウジング内にスピーカとマイクロホンが配置され、スピーカとマイクロホンとの間におけるハウジング内の空間に音声振動吸収層を配置したものである。従って、スピーカの後ろから漏れてハウジング内の空間内を通ってマイクロホンに至る音声は音声振動吸収層によって効果的に減衰され、エコー音の発生を低減させることができる。
【０００５】
また、データ信号の送出に遅れのない伝送方式にあっては、上述したスピーカからマイクロホンに直接漏洩する音声が多くなるとハウリングの発生の原因となる。このようなハウリングの発生に対しても上記従来技術は防止策としてとることができる。
【先行技術文献】
【特許文献】
【０００６】
【特許文献１】特開平７−２８３８６１号公報（段落０００１、００１０、００１１）
【発明の概要】
【発明が解決しようとする課題】
【０００７】
しかしながら、送受話器においては、音声振動吸収層をハウジング内に配置する際に、前ケースもしくはプリント基板に固設した後に前ケースと後ケースを一体にして送受話器の組み立てを行っている。そして、音声振動吸収層は、例えばスポンジ状の弾性材で形成されているので、組み立て作業の際に前ケースと後ケースとで挟み込まれてしまうことがある。そのため、音声振動吸収層は予め外形寸法を正確にして形成すると共にケースの正しい位置に貼り付けなければならない。また、組み立ての際にも音声振動吸収層が挟み込まれないように注意して作業しなければならないという問題点があった。
【０００８】
従って、本発明は、上記の問題点を解消することを課題とし、送受話器のハウジング内に音声振動吸収層を取り付けて固設する作業を行うことなくスピーカとマイクロホンとの間の通路を遮断できる送受話器を提供することを目的とする。
【課題を解決するための手段】
【０００９】
前記課題を解決するために、本願の請求項１にかかる発明は、複数のケースを一体にして形成されたハウジング内にスピーカとマイクロホンを組み込んで配置した送受話器であって、前記ハウジング内のスピーカとマイクロホンとの間の空間に位置する一方のケース内面に該ケース内面と同一の部材である弾性リブを該ケース内面から傾斜させて一体に形成し、該弾性リブの先端を該一方のケース内面から突出させて配置し、該先端を他方のケースの内面に当接させて該弾性リブによって該ハウジング内におけるスピーカとマイクロホンとの間を遮断するように構成したことを特徴とする。
【００１０】
また、本願の請求項２に係る発明は、複数のケースを一体にして形成されたハウジング内にスピーカとマイクロホンを組み込んで配置し、該スピーカとマイクロホンとの間の空間に重りを取り付けた送受話器であって、前記ハウジング内の前記重りの側方に生じる空間に位置する一方のケース内面に該ケース内面と同一の部材である弾性リブを該ケース内面から傾斜させて一体に形成し、該弾性リブの先端を該一方のケース内面から突出させて配置し、該先端を他方のケースの内面に当接させて該弾性リブによって該ハウジング内におけるスピーカとマイクロホンとの間を遮断するように構成したことを特徴とする。
【００１１】
本願の請求項３に係る発明は、請求項２に係る送受話器において、前記ケースは、前記重りの面に全幅にわたって当接する凸部を有することを特徴とする。
【発明の効果】
【００１２】
本発明の送受話器は、次に示すような優れた効果を奏する。
【００１３】
すなわち、請求項１に係る発明においては、複数のケースを一体にして形成されたハウジング内にスピーカとマイクロホンを組み込んで配置した送受話器において、一方のケースの内面に弾性リブが一体に取付けられ、この弾性リブの先端がハウジング内においてスピーカとマイクロホンとの間の空間において他方のケースの内面に弾性的に当接して配置され、ハウジング内におけるスピーカとマイクロホンとの間の通路が遮断されている。
【００１４】
このような構成によれば、スピーカからハウジング内を通ってマイクロホンに漏洩する音声を阻止する。そのため、送受話器における音声信号の特性劣化を防止できる。そして、通路を遮断する部材が予め一方のケースに一体に設けられた弾性リブによって構成されているため、組み立て作業が容易にできる。
【００１５】
また、請求項２に係る発明においては、複数のケースを一体にして形成されたハウジング内にスピーカとマイクロホンを組み込んで配置し、該スピーカとマイクロホンとの間の空間に重りを取り付けた送受話器において、ハウジング内の重りの側方に生じる空間に対応する一方のケース内面に弾性リブが一体に取付けられ、この弾性リブの先端がハウジング内においてスピーカとマイクロホンとの間の空間において他方のケースの内面に弾性的に当接して配置され、ハウジング内におけるスピーカとマイクロホンとの間の通路が遮断されている。
【００１６】
このような構成によれば、スピーカからハウジング内を通ってマイクロホンに漏洩する音声を阻止する。そのため、重りを取り付けた送受話器における音声信号の特性劣化を防止できる。そして、通路を遮断する部材が予め一方のケースに一体に設けられた弾性リブによって構成されているため、組み立て作業が容易にできる。
【００１７】
また、請求項３に係る発明においては、ケースに凸部が設けられているので、重りの面とケース内面との間に間隙が生じない。そのため、スピーカからハウジング内を通ってマイクロホンに音声が漏洩することがなくなり重りを取り付けた送受話器における音声信号の特性劣化を防止できる。また、その構成はケースに凸部を設けるだけでよいので簡単である。
【図面の簡単な説明】
【００１８】
【図１】本発明の実施例１に係る送受話器の正面図である。
【図２】図１における送受話器をA-―A線で切断した断面図である。
【図３】本発明の実施例１に係る送受話器において後ケースを除去した状態で背面から見た斜視図である。
【図４】本発明の実施例２に係る送受話器における後ケースを背面から見た斜視図である。
【発明を実施するための形態】
【００１９】
以下、本発明の具体例を実施例及び図面を用いて詳細に説明する。但し、以下に示す実施例は、本発明の技術的思想を具体化するための送受話器を例示するものであって、本発明を送受話器に特定することを意図するものでなく、特許請求の範囲に含まれるその他の実施形態の送受話器にも等しく適用し得るものである。
【実施例１】
【００２０】
本発明の実施例１にかかる送受話器１０は、図１、図２に示すように、内部に空間を有し略長方形に形成されたハウジング２０と、ハウジング２０の一端寄りに組み込んで配置されたスピーカ３０と、ハウジング２０の他端寄りに組み込んで配置されたマイクロホン４０と、スピーカ３０とマイクロホン４０とを電話機本体に接続するためのコネクタ５０とから構成されている。
【００２１】
ハウジング２０は、合成樹脂材からなる前ケース２０１と、同じく合成樹脂材からなる後ケース２０２と、前ケース２０１の一端寄りに形成されたスピーカ用開口２０３と、前ケース２０１の他端寄りに形成されたマイクロホン用開口２０４とから構成されている。そして、この一方のケースである前ケース２０１と他方のケースである後ケース２０２はねじなどによって一体化されハウジング２０を形成している。
【００２２】
送受話器１０の内部には、図３で示すように、スピーカ３０とマイクロホン４０の間に相当する前ケース２０１の中央部分に重り６０が取り付けられている。この重り６０は送受話器１０が全体的に軽量化されたことにより使用者の持ち応えが低減されてしまったことを補うものであって、長方形の金属板からなる。重り６０の取り付け機構は、前ケース２０１に形成された円形の突出部２０５と、この突出部２０５が嵌合する重り６０に形成された円形の開口部６０１と、前ケース２０１に形成された重り６０の位置決めを行う複数の突出片２０６とから構成されている。そして、位置決めされた重り６０はねじ止めによって前ケース２０１に固定されるようになっている。
【００２３】
ハウジング２０内の重り６０の側方に生じる空間には、前ケース２０１に傾斜させて弾性効果をもたせた弾性リブ７０が設けられている。この弾性リブ７０は前ケース２０１と予め一体に合成樹脂材によって形成され、先端が前ケース２０１の内面から突出して後ケース２０２の内面に当接するようになっている。そして、弾性リブ７０はその幅が空間の幅と同じくしてスピーカ３０とマイクロホン４０との間の空間によって形成される通路を塞ぐように構成されている。
【００２４】
次に、上述した実施例１の構成による送受話器１０の組み立ての手順について説明する。まず、前ケース２０１にスピーカ３０、マイクロホン４０、コネクタ５０を取付ける。併せて、重り６０をその開口部６０１に突出部２０５を嵌合させると共に突出片２０６で位置決めを行って前ケース２０１の中央部分に配置する。そして、位置決めされた重り６０をねじによって前ケース２０１に固定する。
【００２５】
その後、後ケース２０２を前ケース２０１にかぶせて両者を一体にしてハウジング２０を形成する。コネクタ５０にはケーブル５１のコネクタを接続することにより送受話器１０と電話機本体とを接続する。
【００２６】
従って、上述した本発明の実施例１の送受話器１０によれば、前ケース２０１と後ケース２０２とを一体にしてハウジング２０を形成した状態においては、予め前ケース２０１に設けられた弾性リブ７０はその先端７０１が後ケース２０２の内面に当接する。この弾性リブ７０はその幅が重り６０の両側に生じた空間の幅に等しいため、スピーカ３０とマイクロホン４０との間の空間によって生じる通路を遮断する。
【００２７】
また、弾性リブ７０は、その突出量及び前ケース２０１の内面と後ケース２０２の内面との間隔にばらつきがあっても撓むことによって先端７０１が後ケース２０２の内面に密着し、通路を確実に遮断する。そのため、送受話器１０はスピーカ３０からハウジング２０内を通路としてマイクロホン４０に直接に漏洩する音声が阻止される。従って、送受話器１０において、スピーカとマイクロホンとの間の音響結合を防止でき、エコー、ハウリングなどの本来の通話に悪影響を与える現象が抑制できる。
【実施例２】
【００２８】
本発明の実施例２に係る送受話器１０は、図４に示すように後ケース２０２に重り６０の全幅にわたって当接する凸部８０を設けている。この凸部８０は後ケース２０２が前ケース２０１と一体になった状態で弾性リブ７０の間に位置するように配置されている。また、凸部８０は合成樹脂材によってケース２０２と一体に形成されている。
【００２９】
上述した実施例２の構成による送受話器１０は、前ケース２０１、後２０２を一体にしてハウジング２０を形成すると、前述したように弾性リブ７０が重り６０の両側に生じた空間による音声の通路を遮断する。同時に、凸部８０は重り６０の面に当接するが、この当接位置が弾性リブ７０の間となる。
【００３０】
従って、凸部８０は弾性リブ７０と共同してスピーカ３０からハウジング２０内を通ってマイクロホン４０に漏洩する音声の通路を遮断する。そのため、送受話器１０はスピーカ３０からハウジング２０内を通路としてマイクロホン４０に直接に漏洩する音声が阻止される。従って、送受話器１０において、スピーカとマイクロホンとの間の音響結合を実施例１に比較してより効果的に防止でき、エコー、ハウリングなどの本来の通話に悪影響を与える現象をより確実に抑制することができる。
【００３１】
一般的、ハウジング２０は全体的に緩やかに湾曲しているので、後ケース２０２も緩やかに湾曲した形状に形成されている。一方、重り６０はその製作の容易性から平板状である。このように湾曲した後ケース２０２と平板状の重り６０とを重ねるとその間に間隙を生じてしまう。この間隙は凸部８０が埋めるので、スピーカ３０からハウジング２０内を通路としてマイクロホン４０に漏洩する音声の通過を阻止する。従って、簡単な構成で音声の漏洩によって発生するエコー、ハウリングによる本来の通話における特性劣化をより確実に防止する。
【００３２】
なお、上記実施例においては、弾性リブ７０は一方のケースである前ケース２０１に設けたが、他方のケースである後ケース２０２に設けてもよい。また、送受話器１０を電話機本体にコードで接続するためのコネクタ５０を備える例を示したが、送受話器１０がコードレス電話機の子機であってもよい。その場合、子機である送受話器１０がコネクタの代わりに電話機本体と近距離無線通信機能を備えることは勿論である。
【００３３】
また、上記実施例１においては、重り６０を設けたが、本発明はこれに限定されることなく重り６０を省いたものであってもよい。この場合は、弾性リブ７０は空間の全幅にわたって位置するように配置して通路を遮断するようにすればよい。
【００３４】
また、上記実施例においては、送受話器１０を電話機に適用した場合について説明したが、本発明はこれに限定されることなく無線通信装置にも適用できる。
【符号の説明】
【００３５】
１０・・・・送受話器
２０・・・・ハウジング
３０・・・・スピーカ
４０・・・・マイクロホン
５０・・・・コネクタ
５１・・・・ケーブル
６０・・・・重り
７０・・・・弾性リブ
８０・・・・凸部
２０１・・・前ケース
２０２・・・後ケース
２０３・・・スピーカ用開口
２０４・・・マイクロホン用開口
２０５・・・突出部
２０６・・・突出片
６０１・・・開口部
７０１・・・先端
【図１】
0005484872.tif 000002
【図２】
0005484872.tif 000003
【図３】
0005484872.tif 000004
【図４】
0005484872.tif 000005